(57)【要約】【課題】棒状部材を収納可能にするとともに、該棒状部材の劣化を抑制できる棒状部材の収納構造を提供する。【解決手段】浴室８０の壁８１に取り付けられ、ランドリーパイプ９０の下端部９１が載置される下部ブラケット１０と、下部ブラケット１０の上方に取り付けられ、ランドリーパイプ９０における上端部９２を支持する上部ブラケット２０と、を備える。下部ブラケット１０における壁８１側に、水抜き孔が形成されている。【選択図】図１
2019041791.tif 000002
【特許請求の範囲】
【請求項１】
浴室の内面部に取り付けられ、棒状部材の一端が載置される下部ブラケットと、
前記浴室の内面部における前記下部ブラケットの上方に取り付けられ、前記棒状部材の一端よりも上方位置を支持する上側支持部と、を備え、
前記下部ブラケットにおける前記浴室の内面部側に、水抜き孔が形成されていることを特徴とする棒状部材の収納構造。
【請求項２】
前記下部ブラケットは、前記棒状部材の一端が載置される載置片を備えており、
前記載置片は、前記下部ブラケットにおける前記浴室の内面部に対して遠い側の位置から、前記浴室の内面部に近づくにしたがって下降するように傾斜している請求項１に記載の棒状部材の収納構造。
【請求項３】
前記上側支持部と前記下部ブラケットとの間に、前記棒状部材がけんどん式に入れ込み可能とされている請求項１または２に記載の棒状部材の収納構造。
【発明の詳細な説明】
【技術分野】
【０００１】
本発明は、棒状部材の収納構造に関する。
【背景技術】
【０００２】
例えば、いわゆる浴室乾燥機を備える浴室には、ランドリーパイプが取り付けられていることがある（例えば、特許文献１参照）。この種の浴室では、例えば、浴室の天井よりやや低い高さ位置において、浴室の壁面に取り付けられた一対の支持部材によってランドリーパイプの両端部をそれぞれ支持している。
【先行技術文献】
【特許文献】
【０００３】
【特許文献１】特開２００６−２８０４３４号公報
【発明の概要】
【発明が解決しようとする課題】
【０００４】
しかし、浴室の天井の近くにランドリーパイプが支持されたままでは、ランドリーパイプが美観を損ねる原因となる。このため、天井の近くにランドリーパイプが支持された状態では、例えば、天井を眺めならゆっくりと入浴を楽しみたい使用者にとっては、ランドリーパイプが入浴を楽しむ妨げとなることがある。
【０００５】
浴室の天井の美観を高めるためにランドリーパイプを浴室内の他の場所に収納しておくことが考えられる。ところが、浴室内は湿度が高い状態にあったり、水などで濡れていたりすることが多いので、ランドリーパイプを収納しておくと、ランドリーパイプが濡れてしまい、ランドリーパイプの劣化の原因となる。また、ランドリーパイプのほか、浴室内で用いる長尺の柄をもった掃除道具などの棒状部材においても、同様の問題が生じる。
【０００６】
そこで、本発明が解決しようとする課題は、棒状部材を収納可能にするとともに、該棒状部材の劣化を抑制できる棒状部材の収納構造を提供することである。
【課題を解決するための手段】
【０００７】
本発明の一態様は、浴室の内面部に取り付けられ、棒状部材の一端が載置される下部ブラケットと、前記浴室の内面部における前記下部ブラケットの上方に取り付けられ、前記棒状部材の一端よりも上方位置を支持する上側支持部と、を備え、前記下部ブラケットにおける前記浴室の内面部側に、水抜き孔が形成されていることを特徴とする棒状部材の収納構造である。
【０００８】
本発明の一態様は、前記下部ブラケットは、前記棒状部材の一端が載置される載置片を備えており、前記載置片は、前記下部ブラケットにおける前記浴室の内面部に対して遠い側の位置から、前記浴室の内面部に近づくにしたがって下降するように傾斜している棒状部材の収納構造である。
【０００９】
本発明の一態様は、上記の棒状部材の収納構造であって、前記上側支持部と前記下部ブラケットとの間に、前記棒状部材がけんどん式に入れ込み可能とされている棒状部材の収納構造である。
【発明の効果】
【００１０】
本発明に係る棒状部材の収納構造によれば、下部ブラケットと上側支持部とによって棒状部材を浴室の内面部に収納（支持）することができる。したがって、棒状部材を使用しないときには、浴室内の目立たない場所に収納することができる。また、棒状部材は、収納時にその一端が下部ブラケットに載置される。このため、収納時の棒状部材の表面が濡れた場合に、棒状部材の表面についた水滴は、棒状部材の表面を伝って一端（下端）側に導かれて下部ブラケットに到達する。ここで、下部ブラケットには、水抜き孔が形成されている。このため、下部ブラケットに到達した水を排出することができるので、下部ブラケットに対する水の滞留を抑制することができ、棒状部材の一端側が水に浸った状態となることを防止できる。したがって、棒状部材を収納可能にするとともに、該棒状部材の劣化を抑制できる。
【図面の簡単な説明】
【００１１】
【図１】一実施形態のランドリーパイプの収納構造の斜視図である。
【図２】上部ブラケット及び下部ブラケットの分解斜視図である。
【図３】（Ａ）は、下部ブラケットの平面図、（Ｂ）は、（Ａ）のＢ−Ｂ線断面図である。
【図４】ランドリーパイプの収納手順を説明する説明図である。
【図５】下部ブラケットを介して水が流れる状態の説明図である。
【発明を実施するための形態】
【００１２】
以下、本発明の実施形態に係る棒状部材の収納構造について、図１〜図５を参照して説明する。本実施形態では、棒状部材がランドリーパイプである例について説明する。図１に示すように、ランドリーパイプの収納構造（以下、単に「収納構造」ということがある）１は、浴室８０の内面部である壁８１に固定されて設けられている。収納構造１は、図２にも示すように、下部ブラケット１０及び上部ブラケット（上側支持部）２０を備えている。
【００１３】
上部ブラケット２０は、壁８１における下部ブラケット１０の上方に取り付けられており、下部ブラケット１０及び上部ブラケット２０には、上下方向に延在するランドリーパイプ９０が収納される。ランドリーパイプ９０は、下端（一端）部９１が下部ブラケット１０に載置され、上端（他端）部９２が上側支持部である上部ブラケット２０に支持されることによって、収納構造１に収納されている。上部ブラケット２０は、ランドリーパイプ９０の上端部９２を支持しているが、ランドリーパイプ９０の下端部９１よりも上方位置であれば、上端部９２以外の位置、例えばランドリーパイプ９０における下端部９１と上端部９２の真ん中あたりを支持するものでもよい。
【００１４】
下部ブラケット１０は、図２に示すように、平面視して略コ字形状をなす下外枠部１１と、壁８１に支持固定される固定片１２と、を備えている。下部ブラケット１０は、例えば、ステンレスなどの金属製である。下外枠部１１は、固定片１２に対向する対向片１１Ａと、対向片１１Ａの両側端辺からそれぞれ固定片１２側に延びる接続片１１Ｂ，１１Ｃを備えている。固定片１２の高さ方向の長さは、下外枠部１１の高さ方向の長さよりも長く、下外枠部１１の高さ方向の長さの約２倍となっている。固定片１２は、下外枠部１１における接続片１１Ｂ，１１Ｃの開口側端部に溶接固定されている。なお、固定片１２は、ねじ等で下外枠部１１に締結されていてもよい。また、下部ブラケット１０の材質は他のものでもよく、例えば樹脂であってもよい。下部ブラケット１０が樹脂製である場合には、固定片１２は、接続片１１Ｂ，１１Ｃの開口側端部に対して接着または溶着等されていてもよい。
【００１５】
下部ブラケット１０における下外枠部１１と固定片１２とは、上面が面一となるように構成されており、平面視して中央に開口が形成されている。このため、固定片１２の下側は、下外枠部１１よりも下方に突出する突出部１２Ａとなっている。突出部１２Ａには、２つのネジ孔１２Ｂが幅方向に並んで形成されている。ネジ孔１２Ｂにはネジ１３が貫通し、ネジ１３が壁８１に締め付けられることによって、下部ブラケット１０が壁８１に固定されて取り付けられている。
【００１６】
下外枠部１１の対向片１１Ａと固定片１２とは、互いに略同一の幅を有しており、その幅は、収納されるランドリーパイプ９０の径の約２倍よりやや長く形成されている。また、接続片１１Ｂ，１１Ｃは、互いに略同一の幅（下外枠部１１の対向片１１Ａと固定片１２の幅方向に対して略直交する方向の幅）は、ランドリーパイプ９０の径よりやや長く形成されている。つまり、下部ブラケット１０には、２本のランドリーパイプ９０を幅方向に並べて載置可能とされている。なお、ランドリーパイプ９０の収納本数は、２本でなくてもよく、１本でもよいし、３本以上でもよい。また、複数のランドリーパイプ９０を収納する際に、壁８１に沿って並べる方法以外の並べ方でもよく、例えば、壁８１に交差する方向に並べてもよいし、壁８１に沿う方向及び交差する方向にマトリクス状に並べてもよい。また、曲線状に並べるようにしてもよい。
【００１７】
下外枠部１１の対向片１１Ａには、載置片１４が取り付けられている。載置片１４は、図３（Ｂ）に示すように、対向片１１Ａの上端辺の近傍から壁８１の方向（対向片１１Ａから離間する方向）に向けて延在している。載置片１４は、傾斜部１４Ａと水平部１４Ｂとを有しており、傾斜部１４Ａは、対向片１１Ａから固定片１２までの略中間位置まで延在し、水平部１４Ｂは略中間位置から固定片１２よりも手前位置まで延在している。また、載置片１４は、図３（Ａ）に示すように、平面視して下外枠部１１及び固定片１２の外縁よりもやや内側の領域に設けられており、下外枠部１１及び固定片１２と載置片１４との間には、水抜き孔１５が形成されている。このため、水抜き孔１５は、浴室８０内の壁８１側を含めて、平面視して略コ字形状に形成されている。
【００１８】
上部ブラケット２０は、図２に示すように、上外枠部２１及び固定部２２が組み付けられて形成されている。上部ブラケット２０は、例えば、ステンレスなどの金属製である。上外枠部２１は、外片２１Ａと、側片２１Ｂ，２１Ｃと、天板２１Ｄと、を備えている。外片２１Ａ及び側片２１Ｂ，２１Ｃは、平面視した形状が略コ字形状をなすように一体的に形成されており、天板２１Ｄは、外片２１Ａ及び側片２１Ｂ，２１Ｃに対して溶接固定されている。なお、天板２１Ｄは、外片２１Ａ、側片２１Ｂ，２１Ｃに対してねじ等で締結されていてもよい。天板２１Ｄには、２つのネジ孔２１Ｅが幅方向に並んで形成されている。なお、上部ブラケット２０の材質は他のものでもよく、例えば樹脂であってもよい。上部ブラケット２０が樹脂製である場合には、天板２１Ｄは、外片２１Ａ及び側片２１Ｂ，２１Ｃに対して接着または溶着等されていてもよい。
【００１９】
固定部２２は、上片２２Ａと側片２２Ｂを備える略Ｌ字形状をなしており、上片２２Ａが上外枠部２１の天板２１Ｄに沿って配置され、側片２２Ｂが壁８１に沿って配置されている。固定部２２における上片２２Ａには、２つのネジ孔２２Ｃが幅方向に並んで形成されており、側片２２Ｂには、２つのネジ孔２２Ｄが幅方向に並んで形成されている。
【００２０】
固定部２２は、上片２２Ａに形成されたネジ孔２２Ｃと上外枠部２１における天板２１Ｄに形成されたネジ孔２１Ｅとにネジ２４が取り付けられることによって、上外枠部２１に固定されている。固定部２２は、天板２１Ｄに溶接固定されていてもよい。この場合、ネジ孔２１Ｅは形成しなくてもよい。また、上部ブラケット２０が樹脂製である場合には、固定部２２は、天板２１Ｄに接着または溶着されていてもよい。また、ネジ孔２２Ｄにはネジ２５がそれぞれ貫通しており、ネジ２５が壁８１に締め付けられることによって、固定部２２（上部ブラケット２０）が壁８１に固定されて取り付けられている。
【００２１】
固定部２２における幅方向中央部には、固定部２２をほぼ均等に仕切る仕切板２３が設けられている。仕切板２３と上外枠部２１の両側片２１Ｂ，２１Ｃとの間の長さは、いずれもランドリーパイプ９０の径よりもやや長くされている。また、上外枠部２１の外片２１Ａと固定部２２の側片２２Ｂとの幅は、ランドリーパイプ９０の径よりもやや長くされている。このため、上部ブラケット２０には、２本のランドリーパイプ９０の上端部９２を幅方向に並べて収容可能とされている。上部ブラケット２０は、下側から差し込まれたランドリーパイプ９０の上端部９２が上外枠部２１（または固定部２２）にもたれかかることによって、ランドリーパイプ９０を支持している。
【００２２】
次に、本実施形態に係るランドリーパイプの収納装置におけるランドリーパイプの収納手順について説明する。図４は、ランドリーパイプの収納手順を説明する説明図である。ここでは、図４（Ａ）に示すように、１本のランドリーパイプ９０が収納された収納構造１にもう１本のランドリーパイプ９０を収納する手順について説明する。ランドリーパイプ９０は、いわゆるけんどん式で収納構造１に入れ込み可能とされている。
【００２３】
収納構造１にランドリーパイプ９０を収納する際には、図４（Ｂ）に示すように、収納構造１における上部ブラケット２０の手前側から斜め上方に向けてランドリーパイプ９０の上端部９２を差し込む。上部ブラケット２０には、１本のランドリーパイプ９０が収納されているが、上部ブラケット２０は、上外枠部２１の内側が仕切板２３によって仕切られているので、もう１本のランドリーパイプ９０を収納するスペースが確保されている。
【００２４】
ランドリーパイプ９０の上端部９２を上部ブラケット２０に差し込んだら、図４（Ｃ）に示すように、新たに差し込んだランドリーパイプ９０を傾けて、上下方向に向くようにし、すでに差し込まれたランドリーパイプ９０と平行になるようにする。その後、図４（Ｄ）に示すように、新たに差し込んだランドリーパイプ９０が下部ブラケット１０の上方に位置した状態でランドリーパイプ９０を下降させて、ランドリーパイプ９０の下端部９１を下部ブラケット１０における載置片１４に載置する。ランドリーパイプ９０の下端部９１が下部ブラケット１０の載置片１４に載置された状態において、ランドリーパイプ９０の上端部９２は上部ブラケット２０の上外枠部２１（または固定部２２）にもたれかかるように支持される。こうして、新たに収納されるランドリーパイプ９０がけんどん式の収納構造１に入れ込まれて収納される。
【００２５】
また、収納構造１にランドリーパイプ９０が収納された状態において、使用者が入浴をしたり、浴室８０を掃除したりすると、浴室８０の壁８１とともにランドリーパイプ９０が濡れた状態となる。濡れたランドリーパイプ９０からは、水が流れ落ちて下部ブラケット１０に到達する。
【００２６】
ここで、下部ブラケット１０には、水抜き孔１５が形成されている。このため、図５に示すように、ランドリーパイプ９０から流れ落ちた水Ｗは、水抜き孔１５を通って下方に落下し、下部ブラケット１０の外部に排出される。したがって、下部ブラケット１０に水Ｗが滞留しないようにすることができる。
【００２７】
以上説明したように、本実施形態に係るランドリーパイプの収納構造１においては、ランドリーパイプ９０を上下方向に向けて収納することができる。このため、浴室の天井の近くにランドリーパイプが支持された状態を回避することができるので、天井を眺めならゆっくりと入浴を楽しむことができる。
【００２８】
また、ランドリーパイプ９０を収納するにあたり、ランドリーパイプ９０が濡れたり、下部ブラケット１０に水Ｗが直接流れ込んだりした場合、下部ブラケット１０に水Ｗが滞留することが考えられる。下部ブラケット１０に水Ｗが滞留すると、ランドリーパイプ９０の下端部９１が水Ｗで浸されたままとなり、ランドリーパイプ９０の劣化を早める懸念がある。
【００２９】
この点、本実施形態に係るランドリーパイプの収納構造１においては、下部ブラケット１０に水抜き孔１５が形成されている。ランドリーパイプ９０から流入した水Ｗは、水抜き孔１５を通って下部ブラケット１０の下方から外部に排出される。したがって、下部ブラケット１０における水Ｗの滞留を防止することができる。したがって、ランドリーパイプ９０の劣化を抑制することができる。
【００３０】
また、水抜き孔１５は、浴室８０の壁８１側に形成されている。下部ブラケット１０では、壁８１からも水Ｗが流れ込むが、水抜き孔１５が壁８１側に形成されているので、壁８１から下部ブラケット１０に流れ込んだ水Ｗは、下部ブラケット１０の下方から外部に排出される際に、壁８１に近い側から排出されるように構成されている。このため、下部ブラケット１０に滞留しそうになる水Ｗをスムーズに排出することができる。また、下部ブラケット１０から水Ｗを外部に容易に排出できることから、ランドリーパイプ９０から下部ブラケット１０に流入した水Ｗも、スムーズに外部に排出することができる。
【００３１】
また、下部ブラケット１０において、ランドリーパイプ９０は、載置片１４に載置されており、載置片１４は、壁８１に対して遠い側の位置から、壁８１に近づくにしたがって下降するように傾斜している。このため、ランドリーパイプ９０から下部ブラケット１０に流入した水Ｗを、水抜き孔１５が形成された壁８１側に誘導することができる。したがって、下部ブラケット１０における水Ｗをさらに好適に外部に排出することができる。また、載置片１４は、対向片１１Ａから固定片１２よりも手前位置まで延在しており、水抜き孔１５は幅狭とされている。このため、水抜き孔１５に指を入れてしまうことなどを防止できる。
【００３２】
また、本実施形態に係るランドリーパイプの収納構造１では、ランドリーパイプ９０は、下部ブラケット１０と上部ブラケット２０との間に、けんどん式で入れ込み可能とされている。このため、収納構造１からランドリーパイプ９０を容易に収納したり、取り出したりすることができる。
【００３３】
また、ランドリーパイプ９０を載置する載置片１４は、壁８１に近づくにしたがって下降するように傾斜している。このため、収納構造１に収納されたランドリーパイプ９０を手前に引き出すだけでランドリーパイプ９０を取り出すことができるので、ランドリーパイプ９０を容易に取り出すことができる。
【００３４】
以上、本発明の実施形態について図面を参照して詳述してきたが、具体的な構成はこの実施形態に限られるものではなく、この発明の要旨を逸脱しない範囲の設計等も含まれる。例えば、上記の実施形態において、棒状部材としてランドリーパイプを例としたが、他の棒状部材でもよい。例えば、棒状部材は、浴室内で使用される長尺の柄を備える掃除道具、例えば、柄の先端にモップやブラシが取り付けられた掃除道具であってもよい。また、このような掃除道具では、柄からモップ部分やブラシ部分が取り外し可能となっているものでもよく、モップ部分やブラシ部分を取り外した柄を棒状部材の収納構造に収納するようにしてもよい。
【００３５】
また、上記の実施形態において、載置片１４は、傾斜部１４Ａ及び水平部１４Ｂを有しているが、傾斜部または水平部のみで形成されるようにしてもよい。また、傾斜部と水平部が複数形成される構成とされていてもよい。
また、収納構造１は、ランドリーパイプ９０をけんどん式で収納可能とされているが、けんどん式以外の態様で収納可能とされていてもよい。また、上記の実施形態において、浴室８０の内面部が壁８１であるが、壁以外の内面部でもよく、例えば、浴室の扉や浴室に設けられた棚などであってもよい。
【符号の説明】
【００３６】
１…ランドリーパイプの収納構造
１０…下部ブラケット
１１…下外枠部
１１Ａ…対向片
１１Ｂ…接続片
１１Ｃ…接続片
１２…固定片
１２Ａ…突出部
１２Ｂ…ネジ孔
１３…ネジ
１４…載置片
１５…水抜き孔
２０…上部ブラケット（上側支持部）
２１…上外枠部
２１Ａ…外片
２１Ｂ，２１Ｃ…側片
２１Ｄ…天板
２１Ｅ…ネジ孔
２２…固定部
２２Ａ…上片
２２Ｂ…側片
２２Ｃ，２２Ｄ…ネジ孔
２３…仕切板
２４，２５…ネジ
８０…浴室
８１…壁
９０…ランドリーパイプ（棒状部材）
Ｗ…水
【図１】
2019041791.tif 000003
【図２】
2019041791.tif 000004
【図３】
2019041791.tif 000005
【図４】
2019041791.tif 000006
【図５】
2019041791.tif 000007